(57)【要約】【課題】この発明は、配管設置箇所に効率よく取り付けることができるとともに、不用意に脱落することなく取付け状態を確実に維持できる配管支持具を提供することを目的とする。【解決手段】配管６を設置する配管設置面２１よりも潤滑性に優れた樹脂で形成され、配管設置面２１に設けられた取付孔２３に挿着する突起体１１は、配管６及び配管設置面２１の間に介在させて前記配管６を支持する支持部１０における、配管設置面２１との対向面から配管設置面２１に向けて撓み変形可能に突出するとともに、支持部１０の平面視で取付孔２３に対応する部位に、該取付孔２３にまとめて挿着可能に複数設けられ、複数の突起体１１は、取付け状態において該取付孔２３の内面２３ａに沿って互いに離間して配設されるとともに、該取付孔２３から突起体１１を引抜く方向の力に抗するリブ１３を設けた。【選択図】図１
2020118229.tif 000002
【特許請求の範囲】
【請求項１】
配管と配管設置箇所との間に介在させて前記配管を支持する支持部配管支持具であって、
前記配管を支持する支持部と、前記配管設置箇所に設けられた取付孔に挿着する突起体とが備えられるとともに、前記配管設置箇所よりも潤滑性に優れた樹脂で形成され、
前記突起体は、前記支持部の前記取付孔に対応する部位において撓み変形可能に突出するとともに、前記取付孔にまとめて挿着可能に複数設けられ、
複数の前記突起体は、互いに離間して配設されるとともに、前記取付孔から前記突起体を引抜く方向の力に抗する抵抗部が設けられた
配管支持具。
【請求項２】
前記潤滑性を有する樹脂は、ＰＴＦＥ系樹脂である
請求項１に記載の配管支持具。
【請求項３】
前記抵抗部を、前記取付孔への挿着状態において前記取付孔の内面と対向する前記突起体の外面から突出するリブで構成した
請求項１又は２に記載の配管支持具。
【請求項４】
前記リブの突出方向先端部が、前記突起体が撓み変形する前の状態において前記取付孔の内面よりも外側の位置まで突出する
請求項３に記載の配管支持具。
【請求項５】
前記リブは、前記取付孔への挿着状態において平面視で前記取付孔の中心を隔てて対向する部位に配設された
請求項３又は４に記載の配管支持具。
【請求項６】
前記リブは、前記突起体の突出方向に延びるとともに、少なくとも一部に少なくとも一部を前記突起体の突出方向の先端部から基端側に向けて徐々に突出高さが高くなるように形成した
請求項３乃至５のいずれか１項に記載の配管支持具。
【請求項７】
前記支持部は、配管設置方向に沿って延びる前記配管設置箇所を跨ぐように設けられ、
前記突起体は、前記支持部において、前記配管設置箇所を隔てて両側に設けられた前記取付孔のそれぞれに複数ずつ挿着可能に配設され、
両側の前記取付孔のそれぞれに対応する複数の前記突起体は、隙間を隔てて対向するように一対構成され、
前記隙間は、前記配管設置方向に延びている
請求項１乃至６のいずれか１項に記載の配管支持具。
【請求項８】
前記突起体に、
前記配管設置箇所を貫通する前記取付孔の開口縁部に係合する係合フランジを備え、前記抵抗部を前記係合フランジで構成してもよい
請求項１乃至７のいずれか１項に記載の配管支持具。
【請求項９】
前記取付孔への挿着状態において前記取付孔の内面と対向する前記突起体の外面は前記内面に沿う形状であるとともに、
前記突起体には、前記外面に対して凹状であり、前記突起体の弾性変形を促進する促進部が設けられた
請求項８に記載の配管支持具。
【発明の詳細な説明】
【技術分野】
【０００１】
この発明は、配管を設置する配管設置箇所よりも潤滑性を有し、配管及び配管設置箇所の間に介在させて前記配管を支持する配管支持具に関する。
【背景技術】
【０００２】
例えば船舶、ビル、プラント等で設置される配管は、熱による管軸方向の伸縮に伴う移動（以下において伸縮移動という）によって配管を設置する配管設置箇所と摺動して損傷するおそれがある。このため、特許文献１に例示されるように配管設置箇所よりも潤滑性に優れた、つまり摩擦係数の小さな配管支持面を有する配管支持具を、配管と配管設置箇所との間に介在させることで配管の管軸方向の伸縮移動を潤滑にする工夫がなされている。
【０００３】
特許文献１の配管支持具は、配管を支持する支持部と、該支持部から突出する突起部とが備えられ、突起部を配管設置箇所に設けられた取付孔に挿入することで支持部を配管設置箇所に取付けることができる。  
このような配管支持具は配管経路に沿って複数に取付けられ、配管支持具の取付け後に配管を設置する。
【０００４】
しかしながら、配管は長尺状であるとともに延長距離が長いため、配管の設置作業に時間を要し、配管支持具を配管設置箇所に取付けてから、配管が設置されるまでしばらく時間が開く場合があった。
【０００５】
特に、配管を支持するための配管支持具は、配管の延長方向である管軸方向に沿って複数設けられており、配管の設置作業までに取付けられた配管支持具が１つでも意図せずに脱落すると、配管を適切に設置することができなくなる。
【０００６】
このような問題に対し、配管支持具の不用意な脱落を防止するため、取付孔に対して圧入するように突起部を構成し、強固な取付け状態となるように構成することも想定できるものの、その反面、突起部の圧入作業に労力を要し、取付作業の作業効率の低下が懸念される。
【先行技術文献】
【特許文献】
【０００７】
【特許文献１】実開平５−９２５８６号公報
【発明の概要】
【発明が解決しようとする課題】
【０００８】
そこで、この発明は、配管設置箇所に効率よく取り付けることができるとともに、不用意に脱落することなく取付け状態を確実に維持できる配管支持具を提供することを目的とする。
【課題を解決するための手段】
【０００９】
この発明は、配管と配管設置箇所との間に介在させて前記配管を支持する支持部配管支持具であって、前記配管を支持する支持部と、前記配管設置箇所に設けられた取付孔に挿着する突起体とが備えられるとともに、前記配管設置箇所よりも潤滑性に優れた樹脂で形成され、前記突起体は、前記支持部の前記取付孔に対応する部位において撓み変形可能に突出するとともに、前記取付孔にまとめて挿着可能に複数設けられ、複数の前記突起体は、互いに離間して配設されるとともに、前記取付孔から前記突起体を引抜く方向の力に抗する抵抗部が設けられたことを特徴とする。
【００１０】
上記抵抗部は、複数の前記突起体のそれぞれに設けられてもよいし、複数の前記突起体のうちの一部に設け、抵抗部を設けていない突起体と協働して機能するように構成されてもよい。
【００１１】
この発明により、配管支持具を配管設置箇所に効率よく取り付けることができるとともに、不用意に脱落することなく配管支持具の取付け状態を確実に維持することができる。すなわち、配管支持具の配管設置箇所への取付作業の作業効率を向上できるとともに、配管の設置作業時まで配管設置箇所に配管支持具を取付けた状態を適切に維持することができる。
【００１２】
詳しくは、複数の突起体は、互いに離間して配設されるとともに、撓み変形つまり弾性変形可能に形成されているため、取付孔に挿入する際に、互いに隣接する突起体同士の間の隙間側に撓み変形することで、例えば、取付孔に突起部を圧入する場合と比べて取付孔に対して容易に挿入することができる。
【００１３】
また、取付孔に挿着した複数の突起体に設けた抵抗部が、取付孔から前記突起体を引抜く方向の力に抗するため、取付孔から突起体が不用意に抜け出ることなく挿着状態を安定して維持することができる。したがって、配管支持具が不用意に脱落することを防止できる。
【００１４】
この発明の態様として、前記潤滑性を有する樹脂は、ＰＴＦＥ系樹脂であってもよい。  
この発明により、前記潤滑性を有する樹脂として、樹脂の中でも摩擦係数が小さいＰＴＦＥ系樹脂で配管支持具を形成することで、配管の熱膨張もしくは熱収縮に伴って管軸方向にスムーズに伸縮移動でき、配管が損傷することを防止できる。
【００１５】
またこの発明の態様として、前記抵抗部を、前記取付孔への挿着状態において前記取付孔の内面と対向する前記突起体の外面から突出するリブで構成してもよい。  
この発明により、前記抵抗部として機能するリブが、前記取付孔への挿着状態において取付孔の内面を局所的に付勢するため、取付孔から前記突起体を引抜く方向の力に抗する抵抗力を向上することができる。
【００１６】
またこの発明の態様として、前記リブの突出方向先端部が、前記突起体が撓み変形する前の状態において前記取付孔の内面よりも外側の位置まで突出してもよい。  
この発明により、前記取付孔への挿着状態において撓み変形した突起体の復元力によってリブを取付孔の内面に付勢でき、取付孔から前記突起体を引抜く方向の力に抗する抵抗力を効果的に向上することができる。
【００１７】
さらに、取付孔に突起体を挿入する際には、リブが取付孔の内面に当接することにより突起体が撓み変形するため、上述したように、リブを前記取付孔の内面よりも外側の位置まで突出しても突起体を取付孔に容易に挿入することができる。
【００１８】
またこの発明の態様として、前記リブは、前記取付孔への挿着状態において平面視で前記取付孔の中心を隔てて対向する部位に配設されてもよい。  
この発明により、平面視で前記取付孔の中心を隔てて対向する部位に配設されたリブが、取付孔の内面からそれぞれ受ける反力を互いに相反する方向に作用させることができる。これにより、取付孔から前記突起体を引抜く方向の力に抗する抵抗力をより効果的に向上することができる。
【００１９】
またこの発明の態様として、前記リブは、前記突起体の突出方向に延びるとともに、少なくとも一部を前記突起体の突出方向の先端部から基端側に向けて徐々に突出高さが高くなるように形成してもよい。  
この発明により、配管設置箇所に設けた取付孔の開口縁にリブが引掛かり、取付孔に突起体を挿入する際の抵抗が急激に増大することを防止できる。これにより、配管設置箇所に形成した取付孔の周縁部やリブが破損することなく、突起体を取付孔にスムーズに挿入することができる。
【００２０】
またこの発明の態様として、前記支持部は、配管設置方向に沿って延びる前記配管設置箇所を跨ぐように設けられ、前記突起体は、前記支持部において、前記配管設置箇所を隔てて両側に設けられた前記取付孔のそれぞれに複数ずつ挿着可能に配設され、両側の前記取付孔のそれぞれに対応する複数の前記突起体は、隙間を隔てて対向するように一対構成され、前記隙間は、前記配管設置方向に延びてもよい。
【００２１】
この発明により、前記突起体は、前記支持部において、前記配管設置箇所を隔てて両側に設けられた前記取付孔のそれぞれに挿着可能に配設され、配管設置箇所に対して各側で支持部を固定することができる。したがって、取付孔に突起体を挿着した取付け状態における支持部の配管設置箇所に対する姿勢を維持することができる。
【００２２】
さらに、一対構成された突起体を配管設置方向に延びる隙間を隔てて配設することで、平面視で配管設置方向に直交する方向、すなわち配管が配管設置方向に伸縮移動する方向には撓みにくくなり、配管の配管設置方向、つまり管軸方向の伸縮移動に起因する突起体の配管設置方向への撓みによって取付孔から抜け出すことを抑制することができる。
【００２３】
またこの発明の態様として、前記突起体に、前記配管設置箇所を貫通する前記取付孔の開口縁部に係合する係合フランジを備え、前記抵抗部を前記係合フランジで構成してもよい。  
この発明により、前記突起体の挿着状態において、前記抵抗部を構成する前記係合フランジが、前記配管設置箇所を貫通する前記取付孔の挿入方向の先端側の開口縁部に係合するため、突起体は、取付孔から前記突起体を引抜く方向の力に抗する抵抗力を向上することができる。
【００２４】
またこの発明の態様として、前記取付孔への挿着状態において前記取付孔の内面と対向する前記突起体の外面は前記内面に沿う形状であるとともに、前記突起体には、前記外面に対して凹状であり、前記突起体の弾性変形を促進する促進部が設けられてもよい。
【００２５】
この発明により、外面が前記取付孔の内面に沿う形状である前記突起体に、前記外面に対して凹状であり、前記突起体の弾性変形を促進する促進部が設けられることで、前記取付孔への挿着状態において、前記突起体の促進部と取付孔の内面との間に前記突起体の撓み変形を許容する空間を構成することができる。  
これにより、突起体が撓み変形し易くなり、係合フランジを有する突起体であっても取付孔に容易に挿入することができる。
【発明の効果】
【００２６】
この発明により、配管設置箇所に効率よく取り付けることができるとともに、不用意に脱落することなく取付け状態を確実に維持できる配管支持具を提供することができる。
【図面の簡単な説明】
【００２７】
【図１】本実施形態の配管支持具を備えた配管固定構造の説明図。
【図２】配管固定構造の分解斜視図。
【図３】本実施形態の配管支持具の説明図。
【図４】変形例１の配管支持具の説明図。
【図５】変形例２の配管支持具の説明図。
【図６】他の変形例の配管支持具の説明図。
【発明を実施するための形態】
【００２８】
以下、図面に基づいて本発明の実施形態を詳述する。  
図１（ａ）は本実施形態の配管支持具３を備えた配管固定構造１を一部断面で示した正面図を示し、図１（ｂ）は、図１（ａ）において配管支持具３の突起体１１を挿着した、天板部２０の取付孔２３の周辺を示す拡大底面図を示し、図２は配管固定構造１の分解斜視図を示している。
【００２９】
なお、図１（ａ）及び図２においては、配管６の内部に流れる流体の図示は省略している。  
また、図中、矢印Ｘは管軸方向、つまり管延長方向を示し、矢印Ｚは上下方向を示し、矢印Ｗは平面視で管軸方向に直交する幅方向を示すものとする。
【００３０】
まず配管支持具３を備えた配管固定構造１について図１及び図２を用いて説明する。  
図１（ａ）及び図２に示すように、本実施形態の配管固定構造１は、例えば、船舶等における所定の配管経路に沿って設置された配管６を、配管経路に沿った配管固定箇所Ａ（図２参照）ごとに固定する構造であり、配管経路、すなわち管軸方向Ｘに沿って、互いに離間するように複数設けられている。なお、配管６は鋼管等で構成されている。
【００３１】
配管固定構造１は、架台２と配管支持具３とＵ字ボルト４とナット５ａ，５ｂとで構成されている。架台２は、例えば、ブラケット等で構成され、図２に示すように、船舶等に有する配管固定箇所Ａに設置され、配管設置部として平板状に形成された天板部２０を上部に有している。
【００３２】
天板部２０の上面は、配管６を設置可能に管軸方向Ｘ及び幅方向Ｗに延びる水平かつ平坦な配管設置面２１であり、配管設置面２１の幅方向Ｗの中央部分を、配管６を設置する配管設置領域２２としている。なお、配管設置領域２２は管軸方向Ｘに沿って延びている（図２参照）。
【００３３】
なお、本実施形態においては図２に示すように、配管設置面２１を有する架台２は、管軸方向Ｘに沿う複数の配管固定箇所Ａごとに離間して設けられているが、管軸方向Ｘに沿って連続する配管固定箇所Ａの場合、配管設置面２１も管軸方向Ｘに沿って連続するよう構成される。
【００３４】
天板部２０には、配管支持具３を取付けるための取付孔２３が設けられている。取付孔２３は平面視正円形状であり、天板部２０を上下方向Ｚに貫通している。取付孔２３は、配管設置領域２２における幅方向Ｗの中央付近に設けられている。  
なお、本実施形態においては、取付孔２３は天板部２０を上下方向Ｚに貫通する貫通孔で形成しているが、これに限らず、配管設置面２１から下方へ所定の深さの凹状となる非貫通穴で形成してもよい。
【００３５】
また、天板部２０における、配管設置領域２２に対して幅方向Ｗの両側には、Ｕ字ボルト４を締結により取付けるボルト取付孔２４が貫通形成されている。  
Ｕ字ボルト４は、幅方向Ｗに互いに所定間隔を隔てて平行に上下方向Ｚに延びる一対の直線部４１と、これら直線部４１の上端を逆Ｕ字形状に連結するように延びるＵ字形状部４２とで一体に形成されている。
【００３６】
直線部４１の下端側には雄ネジ部４３がそれぞれ形成されており、雄ネジ部４３は、ボルト取付孔２４の深さよりも長く、且つボルト取付孔２４に挿通可能に形成されている。  
Ｕ字ボルト４は、雄ネジ部４３を含めて金属製の線材を曲げ加工することにより形成されており、両端部の雄ネジ部４３の間を樹脂製の弾性シール部４４で被覆している。またＵ字形状部４２は、配管６の外径と略同じ或いは若干大きな内径で形成している。
【００３７】
ナット５ａ，５ｂは、Ｕ字ボルト４における雄ネジ部４３のそれぞれに２つずつ備え、天板部２０に対して上下両側に配置され、天板部２０を上下方向Ｚの両側から挟み込むようにして締結される。  
これにより、図１（ａ）に示すように、Ｕ字ボルト４は、配管設置面２１に向かって配管６を押し付けるようにして保持している。
【００３８】
ナット５ａ，５ｂは、雄ネジ部４３の軸方向（上下方向Ｚ）における締結位置によって、天板部２０に対するＵ字ボルト４の上下方向Ｚの取付け位置を調節することができ、Ｕ字ボルト４による配管６の保持力を調節することができる。なお、上下各ナット５ａ，５ｂと天板部２０との間には、適宜ワッシャを備えてもよい。
【００３９】
続いて、配管固定構造１に用いる配管支持具３について図１乃至図３を用いて詳細に説明する。  
なお、図３（ａ）は、本実施形態の配管支持具３の正面図を示し、図３（ｂ）は、配管支持具３の底面図を示し、図３（ｃ）は、図３（ｂ）のＡ−Ｏ−Ｂ矢視断面図を示し、図３（ｄ）は、本実施形態の配管支持具３の突起体１１が取付孔２３に挿着された状態を正面側斜め下方から見た斜視図を示している。
【００４０】
図１乃至図３に示すように、配管支持具３は、配管６及び配管設置面２１の間に配置され、配管６を支持する支持部１０と、配管設置面２１に設けられた取付孔２３に挿着する突起体１１とで構成され、配管設置面２１よりも潤滑性に優れた（すなわち摩擦係数が小さい）樹脂によって一体成形されている。
【００４１】
詳述すると、配管支持具３は、潤滑性を有する樹脂の中でも特に潤滑性及び耐熱性に優れた特性を有するＰＴＦＥ系樹脂（フッ素系樹脂）で形成し、例えば、滑り性の高いＰＴＦＥ系樹脂パウダに炭素繊維等の充填剤を混入して成形した紛体成形体によって形成されてもよい。
【００４２】
支持部１０は、配管設置領域２２より幅方向Ｗに広く、且つ、配管６を支持可能な上下方向Ｚの厚みを有する平面視長方形状のパッド状に形成されている。支持部１０において、配管６を支持する上面と、配管設置面２１に設置する下面とは、いずれも水平かつ平坦に形成されている。
【００４３】
突起体１１は、支持部１０の中央において、幅方向Ｗに間隔を隔てて対向するように２つ設けられている。いずれも支持部１０の下面つまり、取付け状態において配管設置面２１と対向する対向面から下方に向かって突出している。なお、潤滑性を有する樹脂で形成された突起体１１は、撓み変形することができる。
【００４４】
換言すると、突起体１１は、取付孔２３に挿着できるように、取付け状態の支持部１０における取付孔２３に対応する部位に設けられている。突起体１１は、幅方向Ｗに間隔を隔てて互いに対向するように配設されるとともに、後述する外周面１２を有する底面視半月状であり、管軸方向Ｘに対して対称形状に形成されている。
【００４５】
突起体１１は、図１、図３（ｄ）に示すように、取付け状態において、取付孔２３の内面２３ａと対向する外周面１２から径外方向に突出するリブ１３を設けている。  
外周面１２は、挿着状態において対向する取付孔２３の内面２３ａに沿う円弧状に形成されている。
【００４６】
具体的には、外周面１２は、挿着状態において対向する取付孔２３の内面２３ａに沿うように、取付孔２３の内面２３ａの内周形状と略同一の外周形状で形成されている。換言すると、外周面１２は、取付孔２３の内径に対して同じ外径又は若干小さな外径となるように形成されている。  
このように構成された突起体１１同士の間には、管軸方向Ｘに直線状に延びる隙間ｓが設けられており、突起体１１は、それぞれが隙間ｓに向かって撓み変形可能となる。
【００４７】
取付孔２３から突起体１１を引抜く方向の力に抗する抵抗部として機能し、外周面１２から径外側に突出するリブ１３は、外周面１２に沿って複数配設され、いずれも突起体１１の突出方向（上下方向Ｚ）に沿って直線状に連続して形成されている。
【００４８】
リブ１３は、突起体１１の外周面１２の周方向において所定間隔を隔てて２つずつ配設されており、詳しくは、各外周面１２の周方向の中間部に対して両側に配設されている。さらに、リブ１３は、突起体１１を取付孔２３に挿着した状態において、各外周面１２の周方向における、取付孔２３の中心２３ｃを隔てて対向する部位に設けている。
【００４９】
図３（ｂ）中の要部拡大部分に示すように、複数のリブ１３は、その突出方向の先端部１３ｔ（以下において、突出方向先端部１３ｔという）が、突起体１１が撓み変形する前の状態において平面視で取付孔２３の内面２３ａよりも径外側の位置まで突出する突出高さで形成されている。
【００５０】
リブ１３は、突起体１１の突出方向（上下方向Ｚ）の全長に亘って同じ突出高さで形成されている。ただし、リブ１３の下端側の先端部１３ａは、面取り状或いは孤状となるテーパ形状で形成されている。
【００５１】
具体的には、図３（ｃ）に示すように、リブ１３の先端部１３ａは、下端が外周面１２と略面一となり、上端側に向けて徐々に突出高さが高くなるテーパ形状で形成されている。なお、先端部１３ａのみならず、下端から上端側に向けてリブ１３の全体をテーパ形状で形成してもよい。
【００５２】
このように構成されたリブ１３を有する突起体１１を取付孔２３に挿入する際には、リブ１３が取付孔２３の内面２３ａに当接しながら挿着され、内面２３ａから受ける反力によって突起体１１が隙間ｓに向かって撓み変形する。このとき、撓み変形した突起体１１の復元力によってリブ１３が取付孔２３の内面２３ａに局所的に付勢した状態で、突起体１１は取付孔２３に挿着される（図１、図３（ｄ）参照）。
【００５３】
具体的には、突起体１１を取付孔２３に挿入する際には、上述したように、リブ１３が取付孔２３の内面２３ａに当接することによって突起体１１が隙間ｓに向かって撓み変形する。このとき、複数のリブ１３は、突出方向先端部１３ｔが、平面視で取付孔２３の内面２３ａに当接する。
【００５４】
上述したように、配管設置面２１と配管６との間に取付けられる配管支持具３は、配管設置面２１よりも潤滑性に優れた樹脂で形成されるとともに、配管６を支持する支持部１０と、配管設置面２１に設けられた取付孔２３に挿着する突起体１１とを備え、支持部１０の底面における取付孔２３に対応する部位から下方に向けて撓み変形可能に突出するとともに、取付孔２３にまとめて挿着可能に一対構成された突起体１１を互いに離間して配設され、取付孔２３から突起体１１を引抜く方向の力に抗するリブ１３が設けられたことにより、配管支持具３を配管固定箇所Ａに対して容易に取付けることができるとともに、その取付け状態を安定して維持することができる。
【００５５】
詳しくは、突起体１１は、互いに離間して配設されるとともに撓み変形可能に形成されているため、取付孔２３に挿入する際に、突起体１１が隙間ｓに向かって撓み変形し、例えば、取付孔２３に突起部を圧入する場合と比べて取付孔２３に対して突起体１１を容易に挿入することができる。  
したがって、管軸方向Ｘに沿って複数設けられた配管設置面２１への配管支持具３の取付作業の作業効率を向上することができる。
【００５６】
また、取付孔２３から突起体１１を引抜く方向の力にリブ１３が抗するため、取付孔２３から突起体１１が不用意に抜け出ることなく、突起体１１を取付孔２３に挿着した配管支持具３の取付け状態を安定して維持することができる。したがって、配管支持具３が不用意に脱落することを防止することができる。
【００５７】
なお、配管支持具３を、潤滑性を有する樹脂として、樹脂の中でも摩擦係数が小さいＰＴＦＥ系樹脂で構成しているため、配管６の熱膨張もしくは熱収縮による管軸方向Ｘの伸縮移動を潤滑に許容でき、配管６の損傷を防ぐことができる。
【００５８】
さらに、ＰＴＦＥ系樹脂は耐熱性にも優れているため、配管６の内部に高温の流体が流れる場合や配管６の設置環境が高温である場合においても、これらの熱により配管支持具３自体が変形することがなく配管６を潤滑に支持することができる。
【００５９】
また、突起体１１を取付孔２３に挿着した状態において、突起体１１の外周面１２から突出するリブ１３が取付孔２３の内面２３ａを局所的に付勢するため、取付孔２３から突起体１１を引抜く方向の力に抗する抵抗力を向上することができる。
【００６０】
また、突起体１１が撓み変形する前の状態において、突出方向先端部１３ｔが、平面視で取付孔２３の内面２３ａよりも径外側の位置まで突出する高さで形成しているため（図３（ｂ）の要部拡大図参照）、挿着状態において撓み変形した突起体１１の復元力によってリブ１３を取付孔２３の内面２３ａを付勢し、取付孔２３から突起体１１を引抜く方向の力に抗する抵抗力を効果的に向上することができる。
【００６１】
さらに、取付孔２３の中心２３ｃを隔てて対向する部位に配設された一対のリブ１３は、取付孔２３の内面２３ａからそれぞれ受ける反力を互いに相反する方向に作用させるため、取付孔２３から突起体１１を引抜く方向の力に抗する抵抗力を効果的に向上することができる。
【００６２】
また、突起体１１の突出方向（上下方向Ｚ）に延びるリブ１３の先端部１３ａは、先端から基端側に向けて徐々に突出高さが高くなるテーパ状に形成しているため、突起体１１を取付孔２３に挿入する際にリブ１３の先端部１３ａが配管設置面２１に形成した取付孔２３の周縁に引掛かり、挿入抵抗が急激に増大することを防止できる。そのため、突起体１１を取付孔２３に挿入する際にリブ１３の先端部１３ａが破損することなく、突起体１１を取付孔２３にスムーズに挿入することができる。
【００６３】
さらに、突起体１１を取付孔２３に挿入する際には、リブ１３が取付孔２３の内面２３ａに当接して突起体１１が撓み変形するため、リブ１３を上述したように、取付孔２３の内面２３ａよりも外側に位置するまで突出しても突起体１１を取付孔２３に容易に挿入することができる。
【００６４】
続いて、配管支持具３の変形例について説明する。ただし、上述した実施形態の配管支持具３や配管固定構造１と同一の構成については同一の符号を付してその説明を省略する。  
なお、図４（ａ）は、変形例１の配管支持具３Ａの図１（ａ）のＸ部に対応する拡大図を示し、図４（ｂ）は配管支持具３Ａの底面図を示し、図４（ｃ）は、図３（ｄ）対応図であって配管支持具３Ａの突起体１１が取付孔２３に挿着された状態を正面側斜め下方から見た斜視図（ｃ）を示している。
【００６５】
変形例１の配管支持具３Ａを取付ける配管固定箇所Ａは、配管支持具３を取付ける配管設置領域２２における幅方向Ｗの中央に取付孔２３を設けた上述の説明の配管固定箇所Ａと異なり、図４（ａ）に示すように、配管支持具３Ａを取付ける配管設置面２１における配管設置領域２２を隔てた幅方向Ｗの両側に取付孔２３を設けている。
【００６６】
このように、配管設置領域２２を隔てた幅方向Ｗの両側に取付孔２３を設けた配管設置面２１に取付ける配管支持具３Ａの支持部１０は、図４に示すように、配管設置領域２２を跨ぐ幅方向Ｗの長さで形成されている。
【００６７】
配管支持具３Ａの突起体１１は、配管設置領域２２を隔てて両側に設けられた２つの取付孔２３のそれぞれに挿着可能に一対ずつ、支持部１０の取付孔２３に対応する部位に配設されている。  
配管支持具３Ａの突起体１１は、上述の配管支持具３の突起体１１の相似形となる形状で形成されている。
【００６８】
また、突起体１１同士の間の隙間ｓは、配管設置方向（Ｘ方向）に沿って延びている。  
このように構成された配管支持具３Ａは、配管設置領域２２を隔てて幅方向Ｗの両側に設けられた２箇所の取付孔２３のそれぞれに突起体１１を挿着するため、つまり、配管設置面２１に対して２箇所で取り付けるため、配管設置面２１に対して位置ずれすることがなく、配管支持具３Ａを安定して取付けることができる。
【００６９】
また、配管支持具３Ａの隙間ｓを管軸方向Ｘに沿う向きで形成されているため、突起体１１は幅方向Ｗには撓み変形しやすいものの、管軸方向Ｘには撓み変形し難くなり、配管６の管軸方向Ｘの伸縮移動に伴って突起体１１が管軸方向Ｘに撓むことで取付孔２３から抜け出すことを抑制することができる。
【００７０】
続いて、別の変形例である変形例２の配管支持具３Ｂについて説明する。  
図５（ａ）は変形例２の配管支持具３Ｂの図１（ａ）のＸ部に対応する拡大図を示し、図５（ｂ）は配管支持具３Ｂの底面図を示し、図５（ｃ）は変形例２の配管支持具３Ｂを正面側斜め下方から見た斜視図を示し、図５（ｄ）は配管支持具３Ｂの突起体１１が取付孔２３に挿着された状態を正面側斜め下方から見た斜視図を示している。
【００７１】
変形例２の配管支持具３Ｂは、上述の配管支持具３Ａと異なり、図５に示すように、リブ１３の代わりに、突起体１１Ｂに係合フランジ７を備えている。  
詳述すると、変形例２の配管支持具３Ｂは、突起体１１Ｂが取付孔２３の深さよりも長く形成され、突起体１１Ｂの突出方向の先端から径外側に鍔状に突出する係合フランジ７が設けられている。
【００７２】
図５（ａ），（ｄ）に示すように、係合フランジ７は、突起体１１Ｂの取付孔２３の挿着状態において、天板部２０の配管設置面２１と反対側の下面２５で開口する開口２６の縁部２６ａに係合可能に構成されている。
【００７３】
すなわち図５（ｂ）に示すように、突起体１１Ｂが取付孔２３に挿着される前の状態において、係合フランジ７は取付孔２３の内面２３ａよりも径外側に位置する一方で、突起体１１Ｂを取付孔２３に挿入する際に、突起体１１Ｂが弾性変形することによって取付孔２３に挿着可能な突出高さで形成されている。
【００７４】
上述した変形例２の配管支持具３Ｂは、突起体１１Ｂを取付孔２３に挿着した取付け状態において、天板部２０における下面２５の開口２６の縁部２６ａに係合フランジ７が係合するため、取付孔２３から突起体１１Ｂを引抜く方向の力に抗する抵抗力を向上することができる。
【００７５】
また、図５に示すように、突起体１１Ｂは、上述した実施形態の突起体１１と同様に、取付け状態において取付孔２３の内面２３ａと対向する外周面１２Ｂが、内面２３ａに沿うように近接するように形成されている。
【００７６】
そして、突起体１１Ｂの外周面１２Ｂには、突起体１１Ｂの弾性変形を促進する促進部としての凹部８が外周面１２Ｂにおける周辺部位に対して内側に切欠き状に凹設されている。  
この凹部８は、突起体１１Ｂの基端から先端にかけて係合フランジ７に対応する部位も含めて突起体１１Ｂの突出方向全体に亘って切欠き状に形成されている。
【００７７】
このように、配管支持具３Ｂは、突起体１１Ｂの外周面１２Ｂに促進部としての凹部８を設けているため、突起体１１Ｂを取付孔２３に挿入する際に、突起体１１Ｂの凹部８と取付孔２３の内面２３ａとの間に突起体１１Ｂの撓み変形を許容する空間を構成することができる。
【００７８】
したがって、配管支持具３Ｂは、突起体１１Ｂの先端に取付孔２３よりも径外側へ突出する係合フランジ７を設けているものの、凹部８が隙間ｓと協働して突起体１１Ｂの撓み変形を促進し、配管設置面２１の下面２５の開口２６の縁部２６ａに係合フランジ７が係合するまで容易に取付孔２３に突起体１１Ｂを挿入することができる。
【００７９】
この発明は、上述の実施例の構成のみに限定されるものではなく様々な実施形態で形成することができる。  
例えば、変形例１の配管支持具３Ａでは、上述した実施形態の配管支持具３の突起体１１を、配管設置領域２２を隔てて両側にそれぞれ設けたが、図６に示す他の変形例の配管支持具３Ｃのように、変形例２の配管支持具３Ｂの突起体１１Ｂを、配管設置領域２２を隔てて両側にそれぞれ設けてもよい。
【００８０】
なお、図６（ａ）は他の変形例の配管支持具３Ｃの図１（ａ）のＸ部に対応する拡大図を示し、図６（ｂ）は他の変形例の配管支持具３Ｃの底面図を示し、図６（ｃ）は他の変形例の配管支持具３Ｃを正面側斜め下方から見た斜視図を示し、図６（ｄ）は他の変形例の配管支持具３Ｃの突起体１１が取付孔２３に挿着された状態を正面側斜め下方から見た斜視図を示している。
【００８１】
また、上述の説明では、取付孔２３にまとめて挿着可能な一対構成された突起体１１であったが、３以上の突起体１１をまとめて挿入可能に構成してもよい。  
さらにまた、上述の説明における配管支持具３は、抵抗部としてのリブ１３と係合フランジ７の一方を突起体１１に備えたが、リブ１３と係合フランジ７の両方を備えた突起体１１であってもよいし、リブ１３を備えた突起体１１と係合フランジ７を備えた突起体１１とを併用するように構成してもよい。
【００８２】
さらには、上述の説明では、複数の突起体１１のそれぞれにリブ１３か係合フランジ７かを設けたが、複数の突起体１１のうちの一部にリブ１３か係合フランジ７を設け、リブ１３か係合フランジ７を設けていない突起体１１と協働して、取付孔２３から突起体１１を引抜く方向の力に抗するように構成してもよい。
【符号の説明】
【００８３】
３，３Ａ，３Ｂ，３Ｃ…配管支持具
６…配管
７…係合フランジ
８…凹部
１０…支持部
１１，１１Ｂ…突起体
１２，１２Ｂ…外周面
１３…リブ
１３ｔ…突出方向先端部
１３ｃ…取付孔の中心
２１…配管設置面
２３…取付孔
２３ａ…内面
２６ａ…縁部
Ａ…配管設置箇所
ｓ…隙間
【図１】
2020118229.tif 000003
【図２】
2020118229.tif 000004
【図３】
2020118229.tif 000005
【図４】
2020118229.tif 000006
【図５】
2020118229.tif 000007
【図６】
2020118229.tif 000008